(57)【要約】【課題】  外部装置と表示装置との間の伝送状態の安定性を示す情報を、外部装置と表示装置との接続処理に応じて通知することを可能とする表示装置を提供することを目的とする。【解決手段】  本発明の表示装置は、外部装置２００と接続し、外部装置２００から入力した映像信号に基づいて画像を表示する表示装置１００であって、画像を表示する液晶部１０４と、外部装置２００と接続し、外部装置２００と接続したことに応じて、外部装置２００の出力条件を調整するリンクトレーニングを実行する映像入力部１１０と、映像入力部１１０が調整した出力条件に対応する通知画像を表示するように液晶部１０４を制御する制御部１０１と、を備えることを特徴とする。【選択図】  図３
2019075665.tif 000002
【特許請求の範囲】
【請求項１】
外部装置と接続し、前記外部装置から入力した映像信号に基づいて画像を表示する表示装置であって、
画像を表示する表示手段と、
前記外部装置と接続するインターフェースと、
前記外部装置と接続したことに応じて、前記外部装置の出力条件を調整する調整処理を実行する調整手段と、
前記調整手段が調整した前記出力条件に対応する通知画像を表示するように表示手段を制御する制御手段と、
を備えることを特徴とする表示装置。
【請求項２】
前記調整処理は、前記外部装置が出力する信号の振幅、および前記外部装置が出力する信号の増幅率を調整する処理であることを特徴とする請求項１に記載の表示装置。
【請求項３】
前記制御手段は、前記調整処理が施された後の前記振幅および前記増幅率の少なくとも一方を示す前記通知画像を表示するように前記表示手段を制御することを特徴とする請求項２に記載の表示装置。
【請求項４】
前記制御手段は、前記調整処理が施された後の前記振幅および前記増幅率の少なくとも一方が、所定の値以下である場合に、通信状態が不安定であることを示す前記通知画像を表示することを特徴とする請求項３に記載の表示装置。
【請求項５】
前記制御手段は、前記調整処理が施された後の前記振幅および前記増幅率の少なくとも一方が、前記所定の値以下である場合に、前記通信状態を改善するための情報を示す前記通知画像を表示することを特徴とする請求項４に記載の表示装置。
【請求項６】
前記インターフェースは、ＤｉｓｐｌａｙＰｏｒｔ規格に準拠したインターフェースであって、
前記調整処理は、ＤｉｓｐｌａｙＰｏｒｔ規格におけるリンクトレーニング処理であることを特徴とする請求項１乃至請求項５のいずれか１項に記載の表示装置。
【請求項７】
前記表示手段は、光源と、前記光源から照射された光を変調して投影面に画像を投影する変調手段とを備えることを特徴とする請求項１乃至請求項６のいずれか１項に記載の表示装置。
【請求項８】
前記表示手段は、光を発するバックライトユニットと、前記バックライトユニットから照射された光を透過して画像を画面に表示する表示パネルと、を有することを特徴とする請求項１乃至請求項６のいずれか１項に記載の表示装置。
【請求項９】
外部装置と接続し、前記外部装置から入力した映像信号に基づいて画像を表示する表示装置の制御方法であって、
前記外部装置と接続したことに応じて、前記外部装置の出力条件を調整する調整工程と、
前記調整工程で調整した前記出力条件に対応する通知画像を表示させる通知工程と、
を備えることを特徴とする表示装置の制御方法。
【請求項１０】
前記調整工程は、前記外部装置が出力する信号の振幅、および前記外部装置が出力する信号の増幅率を調整する処理であることを特徴とする請求項９に記載の表示装置の制御方法。
【請求項１１】
前記通知工程は、前記調整工程で調整した前記振幅および前記増幅率の少なくとも一方を示す前記通知画像を表示するように前記表示装置を制御することを特徴とする請求項１０に記載の表示装置の制御方法。
【請求項１２】
前記通知工程は、前記調整工程で調整した前記振幅および前記増幅率の少なくとも一方が、所定の値以下である場合に、通信状態が不安定であることを示す前記通知画像を表示することを特徴とする請求項１０または請求項１１に記載の表示装置の制御方法。
【請求項１３】
前記通知工程は、前記調整工程で調整した前記振幅および前記増幅率の少なくとも一方が、前記所定の値以下である場合に、前記通信状態を改善するための情報を示す前記通知画像を表示することを特徴とする請求項１２に記載の表示装置。
【請求項１４】
前記表示装置および前記外部装置は、ＤｉｓｐｌａｙＰｏｒｔ規格に準拠したインターフェースで接続し、
前記調整工程は、ＤｉｓｐｌａｙＰｏｒｔ規格におけるリンクトレーニング処理を実行することを特徴とする請求項９乃至請求項１３のいずれか１項に記載の表示装置の制御方法。
【請求項１５】
プロセッサを、請求項１乃至請求項８のいずれか１項に記載された表示装置の各手段として機能させるためのプログラム。
【請求項１６】
プロセッサを、請求項１乃至請求項８のいずれか１項に記載された表示装置の各手段として機能させるためのプログラムを格納したコンピュータが読み取り可能な記憶媒体。
【発明の詳細な説明】
【技術分野】
【０００１】
本発明は、外部装置と接続し、外部装置から入力した映像信号に基づいて、画像を表示する表示装置、およびその制御方法、プログラム、記憶媒体に関する。
【背景技術】
【０００２】
ＰＣやレコーダ等の映像出力装置と接続し、映像出力装置から入力した映像信号に基づいて画像を表示する表示装置がある。映像出力装置（以下、外部装置）と、表示装置との間の通信は、互いの装置が対応可能な規格に基づいて実行される。装置間の通信の方法を規定した規格は、例えば、ＤｉｓｐｌａｙＰｏｒｔ（登録商標）（ＤＰ）や、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）といったインターフェース規格がある。
【０００３】
このような規格においては、装置間で映像信号等、主となるデータの通信を行う前に、伝送路や各装置の能力を確認、もしくは調整を行うことがある。例えば、ＤＰ規格に基づいて通信を行う場合、映像信号の伝送レートや伝送路数の決定、電圧振幅、増幅率等の調整等を、接続する装置間で実行する（トレーニング）。トレーニングにおいて、例えば、外部装置から信号を出力する場合に、電圧振幅や増幅率が調整される。しかし、このような調整処理を実行したのちに装置間での通信を行っている途中で、通信の状態が変化し、伝送エラーが発生する場合があった。
【０００４】
特許文献１ではＩＰ（Ｉｎｔｅｒｎｅｔ  Ｐｒｏｔｏｃｏｌ）通信における受信したパケットデータについて、本来受信すべき総データ量と実際に受信したデータ総量の比から受信状態や、受信したパケットデータのロス率をユーザへ提示する方法が開示される。これにより、ユーザはデータがドロップしていることに気付き、ネットワークの点検、中継器類の見直し、通信回線の契約見直し等、様々な原因の可能性を察知することが可能となる。
【先行技術文献】
【特許文献】
【０００５】
【特許文献１】特開２０１０−２５８５１２号公報
【発明の概要】
【発明が解決しようとする課題】
【０００６】
しかしながら、特許文献１に開示された技術を、外部装置と表示装置とに適用した場合、ユーザは、不特定多数に映像を表示しながらデータのドロップが発生していることを知るような場合があった。したがって、ユーザがデータのドロップに対して適切な対処を予備的に施すことができない場合があった。
【０００７】
また、ＤＰ規格で外部装置と表示装置とが接続した場合、特許文献１にあるような送受信データのロス率を算出することはできない。
【０００８】
そこで、本発明の表示装置は、外部装置と接続する表示装置であって、外部装置と表示装置との間の伝送状態の安定性を示す情報を、外部装置と表示装置との接続処理に応じて通知することを可能とする表示装置を提供することを目的とする。
【課題を解決するための手段】
【０００９】
上記課題を解決するため、本発明の表示装置は、外部装置と接続し、前記外部装置から入力した映像信号に基づいて画像を表示する表示装置であって、画像を表示する表示手段と、前記外部装置と接続するインターフェースと、前記外部装置と接続したことに応じて、前記外部装置の出力条件を調整する調整処理を実行する調整手段と、前記調整手段が調整した前記出力条件に対応する通知画像を表示するように表示手段を制御する制御手段と、を備えることを特徴とする。
【発明の効果】
【００１０】
本発明によれば、外部装置と接続し、外部装置から入力した映像信号に基づいて画像を表示する表示装置であって、外部装置と表示装置との間の伝送状態の安定性を示す情報を、外部装置と表示装置との接続処理に応じて通知することを可能とする。
【図面の簡単な説明】
【００１１】
【図１】表示装置および外部装置の装置構成図である。
【図２】表示装置の機能ブロックを示すブロック図である。
【図３】映像入力部の機能ブロックを示すブロック図である。
【図４】表示装置の調整処理、および通知処理のフローを示すフローチャートである。
【図５】調整された駆動電圧パラメータとその時の伝送路の品質状態を示す模式図である。
【図６】通知画像が重畳された画像を示す模式図である。
【発明を実施するための形態】
【００１２】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１３】
＜実施例１＞
実施例１の表示装置は、外部装置と接続し、外部装置から入力した映像信号に基づいて画像を表示する。表示装置は、例えば、プロジェクタであるとする。また、外部装置は、例えば、ＰＣ（Ｐｅｒｓｏｎａｌ  Ｃｏｍｐｕｔｅｒ）であるとする。
【００１４】
図１は、表示装置１００と、外部装置２００との構成を示す装置構成図である。表示装置１００は、外部装置２００とケーブル３００を介して接続する。表示装置１００および外部装置２００はそれぞれ、ＤｉｓｐｌａｙＰｏｒｔ（登録商標）（以下、ＤＰ）規格に準拠したインターフェースを備える。また、ケーブル３００も、ＤＰ規格に準拠した通信用ケーブルである。なお、外部装置２００は、ＰＣ以外の映像出力装置であってもよい。例えば、外部装置２００は、デジタルカメラやデジタルビデオカメラ、レコーダであってもよい。
【００１５】
表示装置１００と外部装置２００とは、接続時にＤＰ規格で定義されたリンクトレーニング処理を実行する。リンクトレーニングは、表示装置１００から外部装置２００の出力条件の調整を行う調整処理である。具体的には、表示装置１００から外部装置２００の信号の振幅、増幅率等の出力条件を提示する。そして、外部装置２００が提示された出力条件に基づいて信号を送信した場合に、表示装置１００が所定の信号を受信できた場合に、その出力条件を外部装置２００の出力条件として設定する。調整処理によって、調整された出力条件で外部装置２００が信号を出力することにより、表示装置１００は安定的に信号を受信することが可能となる。
【００１６】
しかし、表示装置１００と外部装置２００との間のケーブル３００の長さが、数１０ｍにわたるほど長い場合等、安定的な信号を送る場合に、外部装置２００側で信号の振幅や増幅率を高く調整する必要がある場合がある。このような場合には、出力条件の調整後の通信環境の変動により、データの欠損等のエラーが発生しやすい。言い換えると、通信環境の変動による通信システムのマージンが足りない。
【００１７】
実施例１の表示装置１００は、このような場合に、調整処理のあとで、出力条件に応じて通信状態を示す通知画像を表示することにより、ユーザに通信状態の安定性（不安定性）を示す。以下で、詳細に説明する。
【００１８】
図２は、本実施例の表示装置１００の主要な構成を示したブロック図である。表示装置１００は、制御部１０１、操作部１０２、電源部１０３、液晶部１０４、液晶駆動部１０５、光源１０６、投影光学系１０７、光源制御部１０８、光学系制御部１０９、および映像入力部１１０を備える。さらに、表示装置１００は、ＥＤＩＤ記憶部１１１、ＵＳＢ  Ｉ／Ｆ１１２、カードＩ／Ｆ１１３、通信部１１４、内部メモリ１１５、画像処理部１１６、傾きセンサ１１７、タイマ１１８、温度計１１９、および冷却部１２０を備える。また、表示装置１００は、ファイル再生部１２１、赤外線受信部１２２、焦点検出部１２３、撮像部１２４、スクリーン測光部１２５、表示部１２８、表示制御部１２９、バッテリ１３０、電源入力部１３１、ＲＡＭ１３２、およびバス１３３を備える。
【００１９】
制御部１０１は、プロジェクタの各ブロックを制御するための制御部である。例えば、制御部１０１は、Ｃｅｎｔｒａｌ  Ｐｒｏｃｅｓｓｉｎｇ  Ｕｎｉｔ（ＣＰＵ）であるとする。制御部１０１は、表示装置１００の他のブロックと接続し、各ブロックの動作の制御や、データのやり取り等のアクセスを行なうことが可能である。操作部１０２は、ユーザからの操作を受け付ける操作部である。電源部１０３は、プロジェクタの各ブロックへの電源供給を制御する電源部である。
【００２０】
液晶部１０４は、１枚の液晶パネルや３枚の液晶パネル等で構成されており、この液晶パネル上に画像を形成する。液晶駆動部１０５は、入力された画像信号に基づいて、液晶部１０４の液晶パネルに画像を形成させるための駆動制御回路である。光源１０６は、液晶部１０４に光を照射する。投影光学系１０７は、光源１０６から発せられた光を液晶部１０４に供給することにより得られた光学像を投影するための投影光学系である。光源制御部１０８は、光源１０６の光量等を制御する。また、光学系制御部１０９は、投影光学系１０７のズームレンズやフォーカスレンズ等の動作を制御し、ズーム倍率や焦点調整等を行う。
【００２１】
映像入力部１１０は、ＰＣ（Ｐｅｒｓｏｎａｌ  Ｃｏｍｐｕｔｅｒ）やＢＤプレイヤー等からデジタル映像信号を受け付けるインターフェースである。映像入力部１１０は、ＤＰ規格に準拠したインターフェースであるとする。映像入力部１１０は、外部装置２００からＤＰ規格にて規定されたプロトコルに基づく映像信号を受信することができる。
【００２２】
映像インターフェース規格の種類によっては伝送する映像信号の伝送方式や信号線数等が定められる。例えば、伝送方式は、各画素の画像データをデータ信号とクロック信号とに分離して伝送するセパレートクロック方式、クロックをデータ信号に埋め込むエンベデッドクロック方式等が存在する。ＤＰ規格は、エンベデッドクロック方式で、画像データを送信する。ＤＰ規格では、８Ｂ１０Ｂエンコード方式に基づいて映像信号データ及び制御データ等がエンコードされる。
【００２３】
映像入力部１１０は、８Ｂ１０Ｂデータのビットデータ遷移を元に内部クロックを同期させ映像信号データを取り込む。また、ＤＰ規格には、ＡＵＸ−ＣＨ（Ａｕｘｉｌｉａｒｙ−Ｃｈａｎｎｅｌ）という補助チャネルが信号ライン上にアサインされている。該補助チャネルを通じて、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）、ＤＰＣＤ（ＤｉｓｐｌａｙＰｏｒｔ  Ｃｏｎｆｉｇｕｒａｔｉｏｎ  Ｄａｔａ）等の補助情報の授受などが行われる。また該補助チャネルにおいては、外部装置から制御信号も同時に送受信される場合があり、これにより、映像の制御等が行われることもある。
【００２４】
また、映像入力部１１０では後述する画像処理部１１６が受信可能な信号に変換する機能を備えており、さらに、映像信号の受信検知機能、エンコードされた映像信号をデコードする機能も備える。映像入力部１１０は、外部装置と接続した場合に、ＤＰ規格に規定されたリンクトレーニングを実行する調整部でもある。リンクトレーニングの詳細は後述する。
【００２５】
ＥＤＩＤ記憶部１１１は映像入力部１１０の受信性能を示すＥＤＩＤを格納するための記憶部である。外部装置２００は、表示装置１００の映像入力部１１０を介して、ＥＤＩＤ記憶部１１１に格納される情報を読み出す。外部装置２００は、読み出した情報に基づいて映像信号を出力する。ＥＤＩＤ記憶部１１１は、不揮発性のメモリであるとする。ＵＳＢ  Ｉ／Ｆ１１２は、外部から映像データ、画像データ、映像ファイル等の各種の情報データのファイルを受け取る、又は外部に書き出す、ＵＳＢインターフェースである。また、ＵＳＢ  Ｉ／Ｆ１１２は、ポインティングデバイスや、キーボード、ＵＳＢ型のフラッシュメモリ等も接続されてもよい。
【００２６】
カードＩ／Ｆ１１３は、カード型の記録媒体に対し、映像データ、画像データ、映像ファイル等の各種の情報データのファイルを読み書きするカードインタフェースである。カードＩ／Ｆ１１３は、ＳＤカードやコンパクトフラッシュ（登録商標）等が挿入可能であるとする。通信部１１４は、イントラネット、インターネットから映像データ、画像データ、映像ファイル等の各種の情報データのファイル、その他の命令信号を送受信する通信部である。通信部１１４は、例えば、有線ＬＡＮや無線ＬＡＮ等で構成されるとする。内蔵メモリ１１５は、画像データ、ユーザ設定データ等の各種の情報データのファイルを保存するメモリである。内蔵メモリ１１５は、例えば、半導体メモリやハードディスク等で構成されるとする。
【００２７】
画像処理部１１６は、入力された映像信号に基づく画像を処理する処理部である。具体的には、画像処理部１１６は、映像信号に対し、制御部１０１の制御内容に基づき、液晶部１０４で表示するのに適した補正や入力映像へのＯＳＤ（Ｏｎ  Ｓｃｒｅｅｎ  Ｄｉｓｐｌａｙ）画像の重畳等を行う。例えば、画像信号の画素数を液晶パネルの画素数にあわせて変換し、液晶パネルの交流駆動のため、入力された映像信号のフレーム数を倍にし、液晶パネルによる画像形成に適した補正をする。
【００２８】
なお、液晶パネルの交流駆動とは、液晶パネルの液晶にかける電圧の方向を交互に入れ替えて表示させる方法であり、液晶パネルは、液晶にかける電圧の方向が正方向でも逆方向でも画像を生成できる性質を利用したものである。このとき、液晶駆動部１０５には、正方向用の画像と、逆方向用の画像が１枚ずつ送る必要があるので、画像処理部１１６では、映像信号のフレームの数を倍にする処理を行う。液晶駆動部１０５は、画像処理部１１６により得られた画像信号に基づいて、液晶部１０４の液晶パネルに画像を形成させる。
【００２９】
画像処理部１１６は、スクリーンに対して斜め方向から映像を投影し投影画面が例えば台形状に歪んでしまう場合に、投影画像に対し台形状の歪みを打ち消すように画像の形状を変形させるキーストーン補正も行う。キーストーン補正をする際は、液晶パネルに表示される画像の水平方向及び／又は垂直方向の拡大／縮小率を変更する。このようにして、投影画面の台形状の歪みと表示素子上での映像領域の歪みが相殺され、正常なアスペクト比の長方形の映像表示領域に近づくようにしてスクリーンに表示させる。キーストーン補正は、後述する傾きセンサ１１７により得られた傾き角に基づいて、自動的に動作しても良いし、ユーザが操作部１０２等を操作することにより、動作させても良い。
【００３０】
傾きセンサ１１７は、表示装置１００の傾きを検出する傾きセンサである。タイマ１１８は、表示装置１００の動作時間、各ブロックの動作時間等を検出するタイマである。温度計１１９は、プロジェクタの光源１０６の温度、液晶部１０４の温度、外気温等を計測する温度計である。冷却部１２０は、表示装置１００内の熱を外部に放出するなどして、冷却するための冷却部であり、例えば、ヒートシンクとファンにより構成される。
【００３１】
ファイル再生部１２１は、制御部１０１に指示に基づきエンコードされたファイルデータ等をデコードするファイル再生部である。赤外線受信部１２２は、表示装置１００付属のリモコンやその他の機器からの赤外線を受信し、制御部１０１に信号を送る赤外線受信部である。赤外線受信部１２２は、プロジェクタの前後方向等の複数箇所に設置される。焦点検出部１２３は、表示装置１００とスクリーンの距離を検出し、焦点距離を検出する。撮像部１２４は、スクリーンの方向を撮像する。スクリーン測光部１２５は、スクリーンにより反射される光の光量や輝度を計測する。
【００３２】
表示部１２８は、表示装置１００本体に配置され、プロジェクタの状態や警告等を表示する表示部である。表示部１２８は、例えば、ＬＥＤである。表示制御部１２９は、表示部１２８の動作を制御する。バッテリ１３０は、表示装置１００の各機能ブロックに電力を供給することが可能な電池である。電源入力部１３１は、外部からの交流電力を受け入れ、所定の電圧に整流して電源部１０３に供給する電源入力部である。ＲＡＭ１３２は、内部メモリ１１６に格納されるプログラムの展開や投影画像のフレームメモリ等に使用するメモリである。
【００３３】
ここで、表示装置１００の通常の動作について説明する。制御部１０１は、操作部１０２により電源ＯＮの指示がなされたことにより、電源部１０３に各ブロックに電源を供給するように指示をだし、各ブロックを待機状態にする。そして、電源が投入された後、制御部１０１は、光源制御部１０８に光源１０６からの発光を開始するように指示をだす。次に、制御部１０１は、焦点検出部１２３により得られた焦点の情報等から、投影光学系１０７を調整するよう光学系制御部１０９に指示をだす。光学系制御部１０９は、投影光学系１０７のズームレンズやフォーカスレンズを動作させてスクリーン画面上に投影光が結像するよう制御する。
【００３４】
このようにして、投影の準備が整う。次に、例えば、映像入力部１１０に入力された映像信号は、画像処理部１１６により所定のレイアウトで合成された後、液晶部１０４に適した解像度に変換され、また、ガンマ補正や輝度ムラ対策用補正、キーストーン補正が加えられる。そして、画像処理部１１６により補正を加えられた映像信号は、液晶駆動部１０５により液晶部１０４に画像として形成される。そして、液晶部１０４の液晶パネルに形成された画像は、光源１０６から発せられた光により投影光学系１０７に導かれ、投影光学系１０７は不図示のスクリーンに画像を投影する。
【００３５】
投影中は、制御部１０１は、光源１０６等の温度を温度計１１９により検出し、例えば、光源の温度が４０度以上になったとき等に、冷却部１２０を動作させて冷却する。そして、操作部１０２により電源ＯＦＦの指示がなされたことにより、制御部１０１は、各ブロックに終了処理を行うよう通信をする。そして、終了の準備が整うと、電源部１０３は各ブロックへの電源供給を順次終了する。冷却部１２０は、電源ＯＦＦされた後しばらく動作し、表示装置１００を冷却する。
【００３６】
映像入力部１１０の動作について、詳細に説明する。図３は、映像入力部１１０の１つの伝送レーンに対応する機能ブロックを示すブロック図である。映像入力部１１０は、ＤｉｓｐｌａｙＰｏｒｔ規格における伝送レーンそれぞれに対して、図３に示す構成を備えるとする。なお、一部の機能ブロックは、複数の伝送レーンに対して共有してもよい。
【００３７】
映像入力部１１０は、サンプリング部１１０１、クロック再生部１１０２、発振器１１０３、判定部１１０４、デシリアライズ部１１０５、比較部１１０６、テーブル記憶部１１０７、およびレジスタ１１０８を備える。
【００３８】
サンプリング部１１０１は、外部装置２００から入力された８Ｂ１０Ｂデータ（ｒｘＤＡＴＡ）を、後述するようにデータから再生したクロック（ｒｅｃＣＬＫ）に基づいて抽出するサンプリング部である。サンプリングしたデータ（ｂｉｔＤＡＴＡ）は後述するデシリアライズ部１１０５へ出力される。
【００３９】
クロック再生部１１０２は、データに基づいて再生クロックを生成するクロックリカバリ（Ｃｌｏｃｋ  Ｒｅｃｏｖｅｒｙ、ＣＲ）部である。クロック再生部１１０２は、位相比較器、ＶＣＯ（Ｖｏｌｔａｇｅ−Ｃｏｎｔｒｏｌｌｅｄ  Ｏｓｃｉｌｌａｔｏｒ）等で構成される所謂ＰＬＬ（Ｐｈａｓｅ  Ｌｏｃｋｅｄ  Ｌｏｏｐ）である。また、可変分周器等も備えておりＶＣＯの発振周波数を逓倍することが出来る。クロック再生部１１０２は、外部装置２００から送出されたｒｘＤＡＴＡを元に、クロックを同期化（＝リカバリ）する。ここでクロック再生部１１０２は、リカバリしたクロック（ｒｅｃＣＬＫ）をデータサンプリング部１１０１及び判定部１１０４に出力する。
【００４０】
発振器１１０３は、リファレンスクロック（ｒｅｆＣＬＫ）を出力する発振器である。発振器１１０３は、リファレンスクロックを判定部１１０４に出力する。判定部１１０４は、クロック再生部１１０２及び発振器１１０３より出力されるクロックを元に前述クロック再生部１１０２内部のＰＬＬがロックしたか否か判定する所謂カウンタ回路である。
【００４１】
判定部１１０４は、アンロックした場合、即ちｒｅｃＣＬＫ／ｒｅｆＣＬＫが所定のカウンタ値と異なった場合、レジスタ１１０８へＵＮＬＯＣＫ信号を出力する。デシリアライズ部１１０５は、サンプリング部１１０１より出力されるデータを１０ｂｉｔデータのシンボルデータにシリアル−パラレル変換を行なう。デシリアライズされたシンボルデータ（ｓｙｍＤＡＴＡ）は、映像信号データへデコードされ画像処理部１１６へ送出される。
【００４２】
比較部１１０６は、デシリアライズされたｓｙｍＤＡＴＡとテーブル記憶部１１０７から読み出したテーブルを比較し、比較結果をレジスタ１１０８へ出力する。テーブル記憶部１１０７に記憶されたテーブルは、リンクトレーニング用のパターン（トレーニングパターン）データを示すテーブルである。比較部１１０６は、入力されたデータｒｘＤＡＴＡに基づいて生成したクロックｒｅｃＣＬＫで、入力されたデータｒｘＤＡＴＡを抽出した場合に、あらかじめ定められたトレーニングパターンデータと同様のデータを取得しているか否かを判定する。
【００４３】
テーブル記憶部１１０７は、８Ｂ１０Ｂエンコード方式におけるシンボルデータを格納するテーブルを記憶するメモリである。テーブルは、比較部１１０６が比較時に参照するテーブルである。
【００４４】
レジスタ１１０８は、判定部１１０４及び比較部１１０６の判定、比較結果が格納されるラッチ回路である。
【００４５】
映像入力部１１０は、リンクトレーニング時に取り決めた伝送レートを超えた映像信号を受信すると、クロック再生部１１０２は８Ｂ１０ＢエンコードされたｒｘＤＡＴＡのエッジを元にＰＬＬが位相同期し、追従する。クロック再生部１１０２は内部のＰＬＬがロックした後に出力されるクロック（ｒｅｃＣＬＫ）を判定部１１０４及びデータサンプリング部１１０１へ出力する。判定部１１０４は追従したクロック（ｒｅｃＣＬＫ）と発振器１１０３が出力するクロック（ｒｅｆＣＬＫ）を元にロック判定し、カウンタ値がリンクトレーニング時と異なることを検知してＵＮＬＯＣＫ信号をレジスタ１１０８へ出力する。また、クロック再生部１１０２内部の各部の性能に起因して追従できない場合、判定部１１０４はレジスタ１１０８へＵＮＬＯＣＬＫ信号を出力しても良い。なお、レジスタ１１０８は、ＤＰ規格において規定されたリンクトレーニング時のクロックデータリカバリ結果を保持するためのレジスタであっても良いものとする。
【００４６】
以上説明した映像入力部１１０内部の構成により、入力されたデータ（ｒｘＤＡＴＡ）に対するクロックリカバリ状態、即ちロック／アンロックを判別することが可能となる。
【００４７】
リンクトレーニングが実行される場合、外部装置２００は、リンクトレーニング前に表示装置１００から読み出したＤＰＣＤに基づく出力条件で、所定のトレーニングパターンに基づくデータを出力する。映像入力部１１０は、外部装置２００から受信したデータに基づいて、クロックデータリカバリ、イコライゼーションのチェックを実行する。映像入力部１１０は、チェックの成否を示す結果を映像入力部１１０内部のＤＰＣＤ記憶領域に保持する。
【００４８】
チェックが成功した場合、外部装置２００から入力されたデータは、十分な信号の振幅を有しており、映像入力部１１０においてクロックの再生およびデータの抽出が可能であることを示している。
【００４９】
映像入力部１１０がＤＰＣＤ記憶領域に保持した成否結果に応じた外部装置２００の動作について説明する。外部装置２００は、映像入力部１１０のＤＰＣＤ記憶領域に保持された結果を、所定のトレーニングパターンに基づくデータを所定の時間以上、出力した後に読み出す。外部装置２００は読み出した結果が成功である場合は、外部装置２００が接続時に表示装置１００からＥＤＩＤ記載の映像信号フォーマットを読み出す。そして、外部装置２００は、読み出したＥＤＩＤ記載の映像信号フォーマットとリンクトレーニング成功時の各パラメータとに基づいて、所定数の８Ｂ１０Ｂシンボルをアイドルパターンとして送信する。その後、外部装置２００は、映像信号を送信する。失敗した場合には、所定のリンクトレーニングのシーケンスに基づいてリンクトレーニングの開始を映像入力部１１０に対して要求する信号を送信する。
【００５０】
次に、表示装置１００が外部装置２００と接続した場合に実行される調整処理と、調整処理に基づく通知処理について、説明する。具体的には、映像入力部１１０は、外部装置２００と接続したことに応じて、トレーニングを実行し、さらに、トレーニングの結果に基づいて通知画像を表示する。図４は、表示装置１００の調整処理、および通知処理のフローを示すフローチャートである。
【００５１】
Ｓ１０１で、制御部１０１は、映像入力部１１０を介して外部装置２００と接続されたことをポーリングまたは割り込みにより検知する。ここで、表示装置１００と外部装置２００とは、ケーブル３００を介して接続したとする。
【００５２】
Ｓ１０２で、制御部１０１は、ＨＰＤ（ＨｏｔＰｌｕｇ  Ｄｅｔｅｃｔ）信号をケーブル３００内の１ラインを介してアサートし外部装置２００へ接続されたことを通知する。ＨＰＤ信号通知を受けた外部装置２００は、表示装置１００に対し、ケーブル３００内のＡＵＸ−ＣＨを介してＥＤＩＤを要求する信号を出力する。
【００５３】
Ｓ１０３で、映像入力部１１０は、外部装置２００から入力されたＥＤＩＤを要求する信号を受信したことに応じて、ＥＤＩＤ記憶部１１１からＥＤＩＤを読み出して、ＡＵＸ−ＣＨを介して外部装置２００に通知する。ＥＤＩＤ情報を取得した外部装置２００は、ＡＵＸ−ＣＨを介して信号の伝送に関するデータ（ＤｉｓｐｌａｙＰｏｒｔ  Ｃｏｎｆｉｇｕｒａｔｉｏｎ  Ｄａｔａ、ＤＰＣＤ）を要求する信号を出力する。
【００５４】
Ｓ１０４で、映像入力部１１０は、外部装置２００からＤＰＣＤを要求する信号を受信したことに応じて、ＡＵＸ−ＣＨを介してＤＰＣＤを通知する。ＤＰＣＤは、表示装置の対応出来る伝送レートや伝送レーン数、伝送信号の駆動電圧に関する調整用パラメータ、後述するリンクトレーニングの結果等を示すデータである。ＤＰＣＤは、映像入力部１１０内部のメモリ上に格納される。
【００５５】
なお、ＤＰ規格Ｖｅｒｓｉｏｎ１．２においては、最大４つの伝送レーンを使用することができ、１レーン、２レーン、４レーンの３通りを使い分けることが出来る。また各レーンの伝送レートは１．６２Ｇｂｐｓ、２．７Ｇｂｐｓ、５．４Ｇｂｐｓが規定されており、表示装置１００は適応的に伝送レートを選択、変更することが可能である。伝送信号の駆動電圧に関するパラメータとしては、Ｖｏｌｔａｇｅ−Ｓｗｉｎｇ、Ｐｒｅ−Ｅｍｐｈａｓｉｓを外部装置に対し調整を要求することが可能である。外部装置２００は、表示装置１００から読み出したＤＰＣＤを前提としリンクトレーニングを実施し、ＥＤＩＤに基づいて映像信号を出力する。外部装置２００は取得したＤＰＣＤに基づいて、リンクトレーニングを開始する。
【００５６】
Ｓ１０４で、映像入力部１１０は、表示装置１００が対応可能な伝送データレートや使用ライン数と、信号伝送時の駆動電圧に関する調整パラメータ等の情報を出力する。外部装置２００は、表示装置１００内部の映像入力部１１０からＤＰＣＤを読み出すと、読み出した情報を元にリンクトレーニングの開始を要求する信号を表示装置１００へ出力する。
【００５７】
Ｓ１０５で、外部装置２００からリンクトレーニングの開始を要求する信号を受信したことに応じて、映像入力部１１０は、リンクトレーニングを開始する。上述したように、リンクトレーニングは、外部装置２００が、Ｓ１０４で読み出したＤＰＣＤに基づく出力条件で出力した所定のトレーニングパターンデータが、映像入力部１１０が対応するデータとして読み出すことが可能であるか否かを判定する。
【００５８】
Ｓ１０６で、映像入力部１１０は、リンクトレーニングが成功したか否かを判定する。また、映像入力部１１０は、リンクトレーニングが成功したか否かを示す情報をＤＰＣＤの記憶領域へ書き出す。Ｓ１０６で、映像入力部１１０がリンクトレーニングに失敗したと判断した場合（Ｓ１０６  Ｎｏ）、処理は、Ｓ１０７へ進む。また、Ｓ１０６で、映像入力部１１０がリンクトレーニングに成功したと判断した場合（Ｓ１０６  Ｙｅｓ）、処理は、Ｓ１０８へ進む。
【００５９】
Ｓ１０７で、映像入力部１１０は、ＤＰＣＤ記憶領域の出力条件を変更する。具体的には、映像入力部１１０は、電圧振幅設定値（Ｖｏｌｔａｇｅ−Ｓｗｉｎｇ）および増幅率（Ｐｒｅ−Ｅｍｐｈａｓｉｓ）のうち少なくとも一方のレベルを変更する。例えば、映像入力部１１０は、電圧振幅設定値（Ｖｏｌｔａｇｅ−Ｓｗｉｎｇ）および増幅率（Ｐｒｅ−Ｅｍｐｈａｓｉｓ）のうち少なくとも一方のレベルを上げる。電圧振幅設定値および増幅率は、予め設定された複数のレベルのうち、いずれかを選択する。レベルが高いほど、振幅や増幅率が大きくなる。すなわち、外部装置２００は、元の信号に対してゲインを大きくして出力する。リンクトレーニングの結果、これらのパラメータが大きくなるように調整されるということは、外部装置２００と表示装置１００との間の伝送路において、信号の劣化等が起こりやすいということを意味する。
【００６０】
なお、Ｓ１０７では、上述した外部装置２００の出力駆動電圧に関するパラメータの他に、伝送レートの変更を要求することも可能である。Ｓ１０７で、外部装置２００が変更されたＤＰＣＤを読出し、再度、リンクトレーニングが実行される（Ｓ１０５）。
【００６１】
上述のように、Ｓ１０５、Ｓ１０６、およびＳ１０７を繰り返し、トレーニングが成功することによって、外部装置２００から表示装置１００に十分な信号レベルでデータを送信可能な出力条件（振幅設定値、増幅率）が決定される。
【００６２】
Ｓ１０８で、映像入力部１１０は外部装置２００より送出されるアイドルパターン及び映像信号を受信する。
【００６３】
Ｓ１０９で、制御部１０１は、リンクトレーニング時に調整されたＶｏｌｔａｇｅ−Ｓｗｉｎｇ、Ｐｒｅ−Ｅｍｐｈａｓｉｓといった駆動電圧パラメータが所定の条件を下回るか否かを判断する。言い換えると、制御部１０１は、リンクトレーニングによって調整された出力条件に基づいて、伝送路の伝送環境の変化に対する耐性が高いか否かを判定するともいえる。
【００６４】
図５は調整された駆動電圧パラメータとその時の伝送路の品質状態を示す模式図である。調整対象であるＶｏｌｔａｇｅ−Ｓｗｉｎｇ、Ｐｒｅ−ＥｍｐｈａｓｉｓはそれぞれＬｅｖｅｌ０〜３の範囲で調整されるとする。図５（ａ）は、各パラメータにおける伝送路の状態を、良、並、不良の３段階の評価値で示した模式図である。また、図５（ｂ）は、各パラメータにおける伝送路の状態を、０〜１００の評価値で示した模式図である。それぞれの図において、−（ハイフン）で示す部分は、調整不可の組み合わせであるものとする。
【００６５】
図５（ａ）においては、リンクトレーニングの結果、Ｐｒｅ−ＥｍｐｈａｓｉｓがＬｅｖｅｌ１、Ｖｏｌｔａｇｅ−ＳｗｉｎｇがＬｅｖｅｌ０にてトレーニングが完了した場合、評価は「良」である。図５（ｂ）においては、評価値は７５である。また、図５（ａ）においては、リンクトレーニングの結果、Ｐｒｅ−ＥｍｐｈａｓｉｓがＬｅｖｅｌ２、Ｖｏｌｔａｇｅ−ＳｗｉｎｇがＬｅｖｅｌ１にてトレーニングが完了した場合、評価は「不良」である。また、図５（ｂ）においては、評価値は２５である。
【００６６】
ここで、所定の条件は、図５（ａ）に示す評価において「不良」、図５（ｂ）に示す評価において「２５」であるとする。例えば、評価を評価値で示す場合、制御部１０１は、リンクトレーニング時に調整されたＶｏｌｔａｇｅ−Ｓｗｉｎｇ、Ｐｒｅ−Ｅｍｐｈａｓｉｓといった駆動電圧パラメータが、所定の条件に対応する値以下である場合に、所定の条件を下回ると判定する。
【００６７】
制御部１０１は、リンクトレーニング時に調整された駆動電圧パラメータが、上述の所定の条件を下回る場合（Ｓ１０９  Ｙｅｓ）に、伝送路の伝送環境の変化に対する耐性が低いと判定して、Ｓ１１０に進む。また、そうでない場合（Ｓ１０９  Ｎｏ）、伝送路の伝送環境の変化に対する耐性が高いと判定して、Ｓ１１１に進む。例えば、リンクトレーニングの結果、Ｐｒｅ−ＥｍｐｈａｓｉｓがＬｅｖｅｌ２、Ｖｏｌｔａｇｅ−ＳｗｉｎｇがＬｅｖｅｌ１という結果であったとすると、Ｓ１０９で制御部１０１は、伝送路の伝送環境の変化に対する耐性が低いと判定して、Ｓ１１０に進む。
【００６８】
Ｓ１１０で、制御部１０１は、受信した映像信号に基づく画像に、リンクトレーニングで調整された出力条件に対応する通知画像を重畳するように、画像処理部１１６を制御する。出力条件に対応する通知画像は、伝送路品質状態を示す画像ともいえる。図６は、通知画像が重畳された画像を示す模式図である。
【００６９】
通知画像は、調整されたＰｒｅ−ＥｍｐｈａｓｉｓおよびＶｏｌｔａｇｅ−Ｓｗｉｎｇの少なくともいずれかを示す画像、伝送状態が不安定であることをユーザに通知する画像、および伝送状態を改善するための情報を示す画像等であるとする。
【００７０】
図６（ａ）は、伝送路品質の状態を示す情報及び、画像の乱れ発生の可能性を示す画像と、伝送状態を改善する可能性がある改善策を示す画像を、通知画像とした場合を示す。図６（ｂ）は、具体的にリンクトレーニングの結果決定したＶｏｌｔａｇｅ−Ｓｗｉｎｇレベル及びＰｒｅ−Ｅｍｐｈａｓｉｓレベルを示す画像を通知画像とした場合を示す。図６（ｃ）では、図５（ｂ）の評価値に基づいてインジケータを表示する例を示す。
【００７１】
Ｓ１１１で、画像処理部１１６から出力された画像に基づいて、投影面に画像が表示される。Ｓ１０９で伝送路の伝送環境の変化に対する耐性が低いと判定された場合は、Ｓ１１０の処理により、ユーザへ伝送路に関する状態情報や、映像が乱れる場合の改善策を提示することが可能となる。
【００７２】
上述した表示装置によれば、表示装置が外部装置と接続した場合に、外部装置の出力条件を調整する処理を実行するとともに、出力条件の調整結果に基づいて伝送状態を通知する通知画像を表示するように制御することが可能となる。したがって、外部装置と表示装置との間の伝送状態の安定性を示す情報を、外部装置と表示装置との接続処理に応じて通知することを可能とする。
【００７３】
また、ＤｉｓｐｌａｙＰｏｒｔ規格に準拠した装置においては、装置を接続したときに実行されるリンクトレーニングの結果から伝送路の状況を認識することが可能となる。したがって、ユーザは、映像の乱れなどが発生した時に、伝送状態を改善できる可能性がある箇所を迅速に把握することが可能となる。
【００７４】
以上、本発明の好ましい実施形態について説明したが、本発明はこれらの実施形態に限定されず、その要旨の範囲内で種々の変形及び変更が可能である。
【００７５】
例えば、表示装置１００は、プロジェクタに限定されない。例えば、表示装置は、画面を有し、画面に画像を表示するディスプレイであってもよい。ディスプレイは、バックライトユニットとバックライトユニットから照射される光を変調して画像を表示する液晶表示パネルとを備える透過型の液晶ディスプレイであってもよい。また、ディスプレイは、有機ＥＬ素子の発光を画像に応じて制御する自発光型の有機ＥＬディスプレイであってもよい。
【００７６】
また、伝送路の状態を判定する出力条件は、他のパラメータを利用することも可能である。例えば、伝送レーン数や、帯域に応じて判定してもよい。また、伝送路の状態によらず、常にリンクトレーニングで調整された出力条件に基づく通知画像を重畳してもよい。
【００７７】
また、リンクトレーニング後、所定の期間、通知画像を重畳し、所定の期間が経過したのちに通知画像の重畳を停止してもよい。ユーザは、接続直後に伝送路の状態を把握することが可能となるとともに、映像信号の伝送が開始され、画像を視聴する場合に、通知画像が視聴の妨げになることを抑制する。所定の期間は、例えば、５分間であるとする。
【００７８】
＜その他の実施例＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００７９】
１００  表示装置
１０１  制御部
１１０  映像入力部
２００  外部装置
【図１】
2019075665.tif 000003
【図２】
2019075665.tif 000004
【図３】
2019075665.tif 000005
【図４】
2019075665.tif 000006
【図５】
2019075665.tif 000007
【図６】
2019075665.tif 000008